(57)【要約】【課題】植え付け位置等の必要な局所に、簡単な操作により、栽培用資材を必要量施用すると同時に、局所の土と資材を攪拌して、植物の根圏地層に資材をスピーディに混入し、栽培上の負担を小さくし、局所施用による栽培法に適したものにする。【解決手段】ハンドル２と上下動スライダー３を一体に結合し、そのスライダー２と資材計量ホッパー６に設置した資材計量ドラム８とをリンク機構４７を介して結合し、そのスライダー３をスライダーガイド筒３９と計量資材貯蔵ボックス２７の内部に収容し、そのスライダー３の最下部に、計量資材貯蔵ボックス２７の施用下開口に備え付けたシャッターを開閉する操作部材を設置し、その計量資材貯蔵ボックス２７の下側に計量資材を土と攪拌する攪拌器５２を突設する。【選択図】  図１
2009171909.tif 000002
【特許請求の範囲】
【請求項１】
上部に栽培用資材を貯蔵する資材貯蔵空間を設け、中央部に資材貯蔵空間から取り入れた栽培用資材を計量して放出する資材計量ドラムの一部を設置するドラム設置空間を設け、下部に資材計量ドラムから放出される計量資材を導く計量資材導出空間を設けてなる資材計量ホッパーと、
上記資材計量ホッパーの所定空間に一部を設置して、残部を外部に露出する筒状胴壁とその胴壁の両開口を閉鎖する両側壁とからなるドラムの内部空間に、資材計量カップを備え付け、その胴壁に資材計量カップ内に連通する資材取り入れ・放出兼用開口を設け、両側壁の各中央部にドラムの回動の中心となり、資材計量ホッパーの壁部で回動自在に支持される軸を夫々設けてなる資材計量ドラムと、
上記資材計量ホッパーの下側に連結し、上開口を資材計量ホッパーの計量資材導出空間と連通し、施用下開口に開閉用シャッターを設置し、内部に計量資材を貯蔵する計量資材貯蔵空間と、シャッターを開閉操作する上下動スライダーの下部とその最下部に設置したシャッター操作部材とを収容するスライダー下部収容空間とを設けてなる筒状の計量資材貯蔵ボックスと、
上記計量資材貯蔵ボックスの上側に資材計量ホッパーと並べて上方に突設し、スライダー下部収容空間と連通して、上下動スライダーの上部側をスライド自在に収容する内部空間を有するスライダーガイド筒と、
最上部にハンドルを設置し、中央部に上記スライダーガイド筒の所定箇所に固定した移動規制ピンが嵌まる上下方向に長い長穴を設け、最下部にシャッター操作部材を設置した細長い部材からなる上下動スライダーと、
上記上下動スライダーの上部と資材計量ドラムとの間に設置し、ハンドル操作によるスライダーの上下動運動を資材計量ドラムの回動運動に変換し、スライダーの下動により、資材計量ドラムの資材取り入れ・放出兼用開口を上向きにして資材の計量を行なうと共に、スライダーの最下部に設置した操作部材でシャッターを押して計量資材貯蔵ボックスの施用下開口を開け、又スライダーの上動により、資材計量ドラムの資材取り入れ・放出兼用開口を下向きにして資材計量ドラム内から資材を放出すると共に、スライダーの最下部に設置した操作部材をシャッターから離して、計量資材貯蔵ボックスの施用下開口を閉じるリンク機構と、
上記計量資材貯蔵ボックスの下側に突設し、スライダー下動時のハンドル操作により施用下開口から吐出される栽培用資材を土と攪拌する攪拌器とを具備することを特徴とする栽培用資材局所施用攪拌機。
【請求項２】
攪拌器を、計量資材貯蔵ボックスの施用下開口から吐出される栽培用資材が通過する中央穴を有する台部材の下面に、その中央穴の周囲に複数本の地中挿入用長手棒を分散配置し、各一端部を固着して下方に夫々突設し、その各長手棒の少なくとも上部側下部側に、土と栽培用資材を攪拌する攪拌用短手棒を１本ずつ夫々配置し、その各短手棒を長手棒に対しいずれも傾斜させて固着し、その各短手棒の傾斜方向を上部側と下部側とで反対にしたものにすることを特徴とする請求項１記載の栽培用資材局所施用攪拌機。
【請求項３】
計量資材貯蔵ボックスに、そこに設置されているシャッターの外側を覆うように取り付け、その計量資材貯蔵ボックスとの結合用に、上下方向に長い長穴又は上下方向に配置した複数の穴を有するシャッターカバー兼用支持枠を設置し、その支持枠の下端部に攪拌器を備え付けることを特徴とする請求項１又は２記載の栽培用資材局所施用攪拌機。
【請求項４】
資材計量ホッパーの資材計量ドラム挿入開口を形成する相対する両壁の各縁部に凹所を設けて、資材計量ドラムの各軸が嵌まる軸出し入れ口部付き軸受穴を夫々形成し、更にその相対する両壁の各軸受穴付近の外側に、蝶番の折曲箇所で２分した一方の側部に付勢力を加えるばね付きの蝶番を夫々設置し、その各蝶番の付勢力を受ける側部に資材計量ドラムの各軸が嵌まる軸受穴を夫々設け、その各軸に対応する２個の軸受穴の位置を夫々一致させることを特徴とする請求項１、２又は３記載の栽培用資材局所施用攪拌機。
【発明の詳細な説明】
【技術分野】
【０００１】
本発明は、植え付け位置、播種位置等の局所に、粒状、粉状等の肥料、農薬、土壌改良材等の栽培用資材を手動により施用し、土と攪拌する機械に関する。
【背景技術】
【０００２】
従来、種々の野菜、その他の植物を出荷用等に栽培する場合、効率を上げるため、粒状、粉状等の肥料、農薬、土壌改良材等の栽培用資材を農地の全面に施用し、トラクターのロータリーで攪拌して植物の根圏地層の全層に混入している。しかし、全面全層に栽培用資材を施すと過剰となり易く、露地栽培では降雨や灌水により肥料成分等が流れ出し、地下へ浸透して、河川、湖沼、地下水等の汚染が問題となる。又、施設栽培では反対に肥料成分等の流亡が少ないため、肥料成分が蓄積し易く、濃度障害が発生する等の問題がある。
【０００３】
そこで、植え付け位置、播種位置等の必要な局所に、植物が生育するのに必要な最低限の粒状肥料等を施用する局所施用による栽培法が試みられている。そして、局所に粒状肥料等を施用するため、施肥穴あけ器（商標「モーラー」、株式会社サンエー、滋賀県草津市新浜町４３１−３）、スポット散粒機（商標「スポットくん」株式会社神木製作所、埼玉県川越市府川１３０３−１）、粒状散布器（商標「ショットくん」、株式会社マツモト、群馬県高崎市倉賀野町東部工業団地２４５４−３）、背負い式ホール施肥機（株式会社向井工業、大阪府八尾市福万寺町４丁目１９番地）等の各種手動器械が市販されている。
【発明の開示】
【発明が解決しようとする課題】
【０００４】
しかしながら、このような手動機器は植え付け位置、播種位置毎に、単に地面に施肥用の穴を開ける、地面や先に地面に開けておいた穴内に粒状肥料等を施用する、地面に穴を開けると同時にその穴内に粒状肥料等を施用する等の構造を備えているに過ぎない。それ故、粒状肥料等を施用した後、小さなスコップ等を用い、植え付け位置、播種位置毎に局所の土と肥料等を攪拌して植物の根圏地層に肥料等を混入する必要があり、栽培上の負担が大きく問題がある。
【０００５】
本発明は、このような従来の問題点に着目してなされたものであり、植え付け位置、播種位置等の必要な局所に、簡単な操作により、粒状、粉状肥料等の栽培用資材を植物が生育するのに必要な量を施用すると同時に、その局所の土と栽培用資材を攪拌して、植物の根圏地層に栽培用資材をスピーディに混入できる、栽培上の労力的負担が小さく、局所施用による栽培法に適した栽培用資材局所施用攪拌機を提供することを目的とする。
【課題を解決するための手段】
【０００６】
上記目的を達成するために、本発明による栽培用資材局所施用攪拌機には、上部に栽培用資材を貯蔵する資材貯蔵空間を設け、中央部に資材貯蔵空間から取り入れた栽培用資材を計量して放出する資材計量ドラムの一部を設置するドラム設置空間を設け、下部に資材計量ドラムから放出される計量資材を導く計量資材導出空間を設けてなる資材計量ホッパーと、
上記資材計量ホッパーの所定空間に一部を設置して、残部を外部に露出する筒状胴壁とその胴壁の両開口を閉鎖する両側壁とからなるドラムの内部空間に、資材計量カップを備え付け、その胴壁に資材計量カップ内に連通する資材取り入れ・放出兼用開口を設け、両側壁の各中央部にドラムの回動の中心となり、資材計量ホッパーの壁部で回動自在に支持される軸を夫々設けてなる資材計量ドラムと、
【０００７】
上記資材計量ホッパーの下側に連結し、上開口を資材計量ホッパーの計量資材導出空間と連通し、施用下開口に開閉用シャッターを設置し、内部に計量資材を貯蔵する計量資材貯蔵空間と、シャッターを開閉操作する上下動スライダーの下部とその最下部に設置したシャッター操作部材とを収容するスライダー下部収容空間とを設けた筒状の計量資材貯蔵ボックスと、
上記計量資材貯蔵ボックスの上側に資材計量ホッパーと並べて上方に突設し、スライダー下部収容空間と連通して、上下動スライダーの上部側をスライド自在に収容する内部空間を有するスライダーガイド筒と、
最上部にハンドルを設置し、中央部に上記スライダーガイド筒の所定箇所に固定した移動規制ピンが嵌まる上下方向に長い長穴を設け、最下部にシャッター操作部材を設置した細長い部材からなる上下動スライダーと、
【０００８】
上記上下動スライダーの上部と資材計量ドラムとの間に設置し、ハンドル操作によるスライダーの上下動運動を資材計量ドラムの回動運動に変換し、スライダーの下動により、資材計量ドラムの資材取り入れ・放出兼用開口を上向きにして資材の計量を行なうと共に、スライダーの最下部に設置した操作部材でシャッターを押して計量資材貯蔵ボックスの施用下開口を開け、又スライダーの上動により、資材計量ドラムの資材取り入れ・放出兼用開口を下向きにして資材計量ドラム内から資材を放出すると共に、スライダーの最下部に設置した操作部材をシャッターから離して、計量資材貯蔵ボックスの施用下開口を閉じるリンク機構と、
上記計量資材貯蔵ボックスの下側に突設し、スライダー下動時のハンドル操作により施用下開口から吐出される栽培用資材を土と攪拌する攪拌器とを具備する。
【０００９】
そして、上記攪拌器を、計量資材貯蔵ボックスの施用下開口から吐出される栽培用資材が通過する中央穴を有する台部材の下面に、その中央穴の周囲に複数本の地中挿入用長手棒を分散配置し、各一端部を固着して下方に夫々突設し、その各長手棒の少なくとも上部側下部側に、土と栽培用資材を攪拌する攪拌用短手棒を１本ずつ夫々配置し、その各短手棒を長手棒に対しいずれも傾斜させて固着し、その各短手棒の傾斜方向を上部側と下部側とで反対にしたものにすると好ましくなる。
【００１０】
又、計量資材貯蔵ボックスに、そこに設置されているシャッターの外側を覆うように取り付け、その計量資材貯蔵ボックスとの結合用に、上下方向に長い長穴又は上下方向に配置した複数の穴を有するシャッターカバー兼用支持枠を設置し、その支持枠の下端部に上記攪拌器を設置するとよい。
【００１１】
又、資材計量ホッパーの資材計量ドラム挿入開口を形成する相対する両壁の各縁部に凹所を設けて、資材計量ドラムの各軸が嵌まる軸出し入れ口部付き軸受穴を夫々形成し、更にその相対する両壁の各軸受穴付近の外側に、蝶番の折曲箇所で２分した一方の側部に付勢力を加えるばね付きの蝶番を夫々設置し、その各蝶番の付勢力を受ける側部に資材計量ドラムの各軸が嵌まる軸受穴を夫々設け、その各軸に対応する２個の軸受穴の位置を夫々一致させるとよい。
【発明の効果】
【００１２】
本発明による栽培用資材局所施用攪拌機は、ハンドルと上下動スライダーを一体に結合し、その上下動スライダーと資材計量ホッパーに設置した資材計量ドラムとをリンク機構を介して結合し、その上下動スライダーをスライダーガイド筒と計量資材貯蔵ボックス内に収容し、その上下動スライダーの最下部に、計量資材貯蔵ボックスの施用下開口に備え付けたシャッターを開閉する操作部材を設置し、その計量資材貯蔵ボックスの下側に計量資材を土と攪拌する攪拌器を突設することにより、ハンドルの押し下げ操作により上下動スライダーを下動させて、その動きをリンク機構を介して資材計量ドラムに伝えると共に、シャッター操作部材に伝えて、計量資材貯蔵ボックスの施用下開口を閉じたシャッターを開けることができる。そして、シャッターを開けると同時に計量資材貯蔵ボックスの下側に突設する攪拌器を地中に挿入できる。又、ハンドルの引き上げ操作により上下動スライダーを上動させて、その動きをリンク機構を介して資材計量ドラムに伝えると共に、シャッター操作部材に伝えて、計量資材貯蔵ボックスの施用下開口をシャッターで閉じることができる。そして、シャッターを閉じると同時に攪拌器を地面から引き抜くことができる。
【００１３】
このため、ハンドルの押し下げ操作により、栽培用資材をドラムで計量し、先に計量した計量資材を貯蔵ボックスから吐出して地面に施用し、その資材を地中に挿入した攪拌器で土と攪拌して植物の根圏地層に混入する、という一連の動作を連続的にスピーディに行える。又、ハンドルの引き上げ操作により、ドラムから先に計量した栽培用資材を放出し、その計量資材をボックスに貯蔵し、攪拌器を地中から引き抜く、という一連の動作を連続的にスピーディに行える。それ故、ハンドルの簡単な上下動操作により植え付け位置、播種位置等の必要な局所に、粒状又は粉状肥料等の栽培用資材を植物が生育するのに必要な量施用すると同時に、その局所の土と栽培用資材を攪拌して植物の根圏地層に栽培用資材をスピーディに混入でき、栽培上の労力的負担が小さく、局所施用による栽培法に適している。
【００１４】
又、上記攪拌器を、計量資材貯蔵ボックスの施用下開口から吐出される栽培用資材が通過する中央穴を有する台部材の下面に、その中央穴の周囲に複数本の地中挿入用長手棒を分散配置し、各一端部を固着して下方に夫々突設し、その各長手棒の少なくとも上部側下部側に、土と栽培用資材を攪拌する攪拌用短手棒を１本ずつ夫々配置し、その各短手棒を長手棒に対しいずれも傾斜させて固着し、その各短手棒の傾斜方向を上部側と下部側とで反対にしたものにすることにより、ハンドルの下動により栽培用資材を台部材の中央穴を通じて地面に施用すると共に、その中央穴の周囲に分散配設し、下方に夫々突設する複数本の長手棒を地中にスピーディに挿入できる。その際、各長手棒の少なくとも上部側下部側に土と栽培用資材を攪拌する攪拌用短手棒を１本ずつ夫々配置し、その各短手棒を長手棒に対しいずれも傾斜させて固着し、その各短手棒の傾斜方向を上部側と下部側とで反対にしたものにすると、各攪拌用短手棒があまり地中への長手棒挿入の障害にならず、スライダーを下動させながら或いは下動後にハンドルを回動操作することによって、施用した栽培用資材を局所の土と攪拌して植物の根圏地層の全層に良好に混入できる。
【００１５】
又、計量資材貯蔵ボックスに、そこに設置されているシャッターの外側を覆うように取り付け、その計量資材貯蔵ボックスとの結合用に、上下方向に長い長穴又は上下方向に配置した複数の穴を有するシャッターカバー兼用支持枠を設置し、その支持枠の下端部に上記攪拌器を備え付けることにより、計量資材貯蔵ボックスにシャッターカバー兼用支持枠を設置する際、長穴内の結合位置を選択し或いは複数の穴から結合穴を選択できて、計量資材貯蔵ボックスに設置する支持枠の位置を上下に移動できる。それ故、計量資材貯蔵ボックスの施用下開口と攪拌器との間隔を調節し易く、施用下開口の高さを土の湿り気の影響を受けない高さに保ち、施用下開口付近に栽培用資材が付着することなく、資材の円滑な施用を行える。
【００１６】
又、資材計量ホッパーの資材計量ドラム挿入開口を形成する相対する両壁の各縁部に凹所を設けて、資材計量ドラムの各軸が嵌まる軸出し入れ口部付き軸受穴を夫々形成し、更にその相対する両壁の各軸受穴付近の外側に、蝶番の折曲箇所で２分した一方の側部に付勢力を加えるばね付きの蝶番を夫々設置し、その各蝶番の付勢力を受ける側部に資材計量ドラムの各軸が嵌まる軸受穴を夫々設け、その各軸に対応する２個の軸受穴の位置を夫々一致させることにより、資材計量ドラムの各軸で、資材計量ホッパーの相対する両壁の各縁部に設けた軸出し入れ口部の外側を覆う蝶番の軸受穴付き側部の内面を押す等して、ばねの付勢力に抗する力を加えると、両蝶番の軸受穴付き側部が折曲箇所で折れ曲って互いに外側に開き、各軸出し入れ口部が開くので、各軸を簡単に対応する２個の軸受穴に夫々嵌めることができる。しかも、各軸が対応する２個の軸受穴に嵌まると、両蝶番の軸受穴付き側部がいずれもばねの付勢力によって元の状態に復帰するので、各軸が夫々抜けなくなる。そして、脱着時にも各蝶番の軸受穴付き側部に互いに開く力を加える。それ故、各蝶番に備えたばねの付勢力を利用し又その付勢力に抗することにより、ワンタッチで資材計量ドラムの装着脱を簡単に行える。
【発明を実施するための最良の形態】
【００１７】
以下、添付の図１〜２０を参照して、本発明の実施の最良形態を説明する。
図１は本発明を適用した栽培用資材局所施用攪拌機の正面図、図２はその左側面図である。この栽培用資材局所施用攪拌機１は、そのほぼ全体を金属製例えばステンレス製にして上下に細長くし、最上部にＴ字状のハンドル２を設置する。そして、ハンドル２と断面コ字状の連結部材４ａとを溶接により一体に結合し、その連結部材４ａと細長く下部まで垂直下方向に伸びる上下動スライダー３の最上部とを高さ調節部材４ｂを介して連結する。その際、連結部材４ａの内部に、上下動スライダー３の上部側と連結する高さ調節部材４ｂの最上部を嵌め、２本のねじ５を用いて結合する。
【００１８】
又、攪拌機１の中央部に資材計量ホッパー６を設置する。この資材計量ホッパー６には図３に示すように、その上部に植物の根圏地層に混入するための粒状、粉状等の栽培用資材を貯蔵する資材貯蔵空間７を設け、中央部に上部の資材貯蔵空間７から取り入れた栽培用資材を計量して放出する資材計量ドラム８の大略半分を設置するドラム設置空間９を設け、下部に資材計量ドラム８から放出される計量資材を導く計量資材導出空間１０を設ける。又、資材計量ホッパー６の左壁１１の中央部に、資材計量ドラム８をドラム設置空間９に挿入するため、広いドラム挿入開口１２を設ける。
【００１９】
そして、資材計量ドラム８には図４、５に示すように、円筒状胴壁１３とその胴壁１３の前後開口を閉鎖する円板状の前後側壁１４（１４ａ、１４ｂ）とからなるドラムの中央部より右側の内部空間に、資材計量カップ１５を備え付け、その胴壁１３に資材計量カップ１５内に連通する長方形状の資材取り入れ・放出兼用開口１６を設け、両側壁１４の各中央部にドラムの回動の中心となる前後軸１７（１７ａ、１７ｂ）を設ける。その際、資材計量カップ１５の口部を資材取り入れ・放出兼用開口１６に臨ませて連通し、内部の空間全体を計量容積にする。
【００２０】
しかし、資材計量カップ１５の全容積を常に使用するのでは、計量容積を可変にできない。そこで、資材計量カップ１５の底壁中央にねじ止め用の穴を開け、更にその底壁外面の中央に内周面に雌ねじを形成したねじ止め部材１８を固着する。すると、資材計量カップ１５の内部に仕切壁１９を底上げ用支持管２０とその内部を通る雄ねじ２１とで固定して、計量容積を縮小できる。しかも、このような仕切壁の大きさ、底上げ用支持管の長さ、雄ねじの長さ等の組み合せを変えることによって、計量容積を可変にできる。
【００２１】
そして、資材計量ドラム８を資材計量ホッパー６のドラム設置空間９に装着する際に、資材計量ドラム８の前後各軸１７を、資材計量ホッパー６の前後各壁２２(２２ａ、２２ｂ)の左側縁部中央を切り欠いて形成した凹所からなる軸出し入れ口部付き軸受穴２３内に夫々嵌め、更にその前後各壁２２の軸受穴２３付近の外側に設置してあるばね付き蝶番２４(２４ａ、２４ｂ)に設けた軸受穴２５内に嵌める。すると、資材計量ドラム８を計量ホッパー６に設置し、大略半分を外部に露出させて回動自在に支持できる。なお、この蝶番２４はいずれも図６、７に示すように、屈曲箇所７４を境界にして２分し、その面積の小さな上側部を資材計量ホッパー６の前又は後壁２２への固着部７５とし、面積の大きな下側部を非固着部７６として、その非固着部７６の中央部の左寄り位置に軸穴２５を設けると共に、先端部７７を前又は後壁２２に接触しないように少し屈曲させる。
【００２２】
このような装着時には、資材計量ドラム８の前後各軸１７で、対応する軸受穴２３の軸出し入れ口部を外側から覆う各蝶番２４の軸受穴２５を有する非固着部７６の内面部分を押す等して、各蝶番２４に備え付けられている例えばリング状ばね（図示なし）の付勢力に抗する力を加える。すると、両蝶番２４の非固着部７６が折曲箇所７４で折れ曲がって互いに前後外側に開き、各軸出し入れ口部が開くので、各軸１７を簡単に対応する２個の軸受穴２３、２５に夫々嵌めることができる。しかも、各軸１７が対応する軸受穴２３、２５に嵌まると、両蝶番２４の非固着部７６がいずれもばねの付勢力により元の状態に復帰し、各蝶番２４が平板状になるので、各軸１７が夫々抜けなくなる。又、脱着時にも先端部７７を持つ等して、各蝶番２４の非固着部７６が互いに前後外側に開く力を与える。なお、ばねは一部を蝶番２４の固着部７５に固着し、残部を非固着部７６の外面に当接する。このようにして、各蝶番２４に備え付けたばねの付勢力を利用し又その付勢力に抗することにより、ワンタッチで資材計量ドラム８の装着脱を簡単に行える。なお、２６は後述するリンク機構を構成し、資材計量ドラム８の左側壁１４ａに一端部を固着した板状の下部短リンクである。
【００２３】
又、資材計量ホッパー６の下側に計量資材貯蔵ボックス２７を設置する。その際、資材計量ホッパー６の下端と計量資材貯蔵ボックス２７の上端とを重ね合せ、ボルトとナットを用いて４箇所結合して連結する。この計量資材貯蔵ボックス２７は図８、９に示すように、その前後壁２８(２８ａ、２８ｂ)の間を上側より下側を徐々に狭くした筒状の箱体にして、その上開口２９を計量ホッパー６の計量資材導出空間１０と連通させ、施用下開口３０に開閉用のシャッター３１を備え付ける。その際、シャッター３１として、図１０に示すような固着用基部３２、中央部３３、先端部３４に区分し、その各境界を夫々若干折り曲げた長方形状板ばねを用いる。又、その固着用基部３２を前壁２８ａの下部側の外側に重ね合せて、その基部３２に設けてある２箇所の各穴内にボルト３５を夫々挿通して取り付ける。
【００２４】
すると、前壁２８ａの長さを後壁２８ｂの長さの２分の１程にして、その前壁２８ａよりシャッター３１の中央部３３と先端部３４とを垂れ下げて配置し、下側に行く程後壁２８ｂとの間隔を狭くして、図９に示すようにばねの付勢力によって先端を後壁２８ｂの内面に当接させ、施用下開口３０を閉じることができる。そして、貯蔵ボックス２７の内部に計量資材を貯蔵する計量資材貯蔵空間３６と、シャッター３１を開閉操作する上下動スライダー３の下部を後述するシャッター操作部材と共に収容するスライダー下部収容空間３７ａとを設ける。なお、計量資材貯蔵ボックス２７の左右壁３８（３８ａ、３８ｂ）の間隔は等しくする。
【００２５】
又、計量資材貯蔵ボックス２７の上側に資材計量ホッパー６と並べてスライダーガイド筒３９を上方に突設する。そして、そのスライダーガイド筒３９に、図１１に示すように上下動スライダー３の上部側をスライド自在に収容する内部空間３７ｂを設け、スライダー下部収容空間３７ａと連通させる。この上下動スライダー３は図１２、１３に示すような断面コ字状の細長い部材であり、上部に左右壁を貫く結合用穴４０を等間隔に６個、中央部に左右壁を貫く上下に長い長穴４１（４１ａ、４１ｂ）を２個、最下部に前壁を貫く結合用穴４２を２個夫々上下に配置して設ける。そして、ハンドル２、連結部材４ａ、高さ調節部材４ｂ、上下動スライダー３を夫々連結する際、上下動スライダー３の結合用上部穴４０から選んで、高さ調節部材４ｂに上下動スライダー３をねじ止めすると、ハンドル２の高さ調節を行える。又、ガイド筒３９の内部に収容する際、上下の各長穴４１の内部にガイド筒３９の所定箇所に固定した対応する各移動規制ピン（図示なし）を夫々嵌める。又、最下部に設けた２個の結合用穴４２に対応するねじ４３を用いてシャッター操作部材４４の基部４５を結合して備え付ける。その際、シャッター操作部材４４として少し屈曲した細長い板状体を用い、その先端部側を左側壁２８ａの内面に接触させ、先端部の前後両側面に内方に向って平行に突出する台形状の操作突部４６を夫々設ける。
【００２６】
そして、上下動スライダー３と資材計量ドラム８との間にリンク機構４７を設置する。その際、上下動スライダー３の上部に、板状短リンク４８の一端部を固着し、その上部短リンク４８の他端部と資材計量ドラム８に一端部側を固着した下部短リンク２６の他端部との間に、回動軸５０（５０ａ、５０ｂ）を夫々介して板状長リンク５１を結合する。すると、ハンドル２を押し下げ、引き上げ操作してスライダー３を上下動運動させると、その上下動運動をリンク機構４７によって資材計量ドラム８の回動運動に変換できる。そして、スライダー３の下動により、資材計量ドラム８の資材取り入れ・放出兼用開口１６を上向きにし、計量ホッパー６の資材貯蔵空間７と資材計量カップ１５の内部とを連通させて資材の計量を行なえるようにすると共に、スライダー６の最下部に設置した操作部材４４の先端突部４６で、図８に示すようにシャッター３１の先端部３４側の内面を押して、計量資材貯蔵ボックス２７の施用下開口３０を開けることができる。又、ハンドル操作によるスライダー３の上動により、資材計量ドラム８の資材取り入れ・放出兼用開口１６を下向きにして資材計量ドラム８の内部から計量資材を放出できるようにすると共に、スライダー３の最下部に備えた操作部材４４の先端突部４６をシャッター３１から離して、計量資材貯蔵ボックス２７の施用下開口３０を閉じることができる。
【００２７】
このような計量資材貯蔵ボックス２７の下側に、施用下開口３０から吐出される資材を土と攪拌する攪拌器５２を突設する。しかし、攪拌する際に、計量資材貯蔵ボックス２７のシャッター３１等に土が接触し易いと、土の湿り気の影響を受けて、施用下開口３０の付近に栽培用資材が付着して固まり、吐出を円滑に行い難くなる。そこで、計量資材貯蔵ボックス２７のシャッター３１を設置した前壁２８ａの外側を、下側程広く覆える断面コ字状のシャッターカバー兼用の攪拌器支持枠５３を用いる。そして、そのシャッターカバー兼用支持枠５３の上部中央に、計量資材貯蔵ボックス２７の前壁２８ａと結合するため、上下方向に長い長穴５４を設ける。すると、シャッター３１を止める２個のねじ３５を更に長穴５４に嵌めた後、蝶形ナット５５等を用いて締め付け、計量資材貯蔵ボックス２７にシャッターカバー兼用支持枠５３を固定して設置できる。なお、長穴５４に代えて上下方向に複数個例えば３個の止め穴を分散配設してもよい。
【００２８】
又、シャッターカバー兼用支持枠５３の下端に、攪拌器５２を連結するための連結用台部材５６として、計量資材貯蔵ボックス２７の施用下開口３０から吐出される栽培用資材が通過する円形中央穴を有する円形板を水平方向に保って固着する。そこで、攪拌器５２にはその最上部に連結用台部材５６の下に重ね合せて取り付けるための取付用台部材５７として、やはり連結用台部材５６とほぼ同一形状、大きさの円形板を用いる。
【００２９】
そして、攪拌器５２を図１４、１５、１６に示すように、計量資材貯蔵ボックス２７の施用下開口３０から吐出される栽培用資材が通過する中央穴５８を有する取付用台部材５７の下面に、その中央穴５８を取り囲むようにして、台部材５７の周縁付近に複数本例えば３本の長さ１０ｃｍ程の地中挿入用直線状長手棒５９（５９ａ、５９ｂ、５９ｃ）を分散配置し、その各一端部を固着して垂直下方向に夫々突設する。又、その各長手棒５９の上、中、下の各部に、土と資材を攪拌する例えば長さ２ｃｍ程の攪拌用直線状短手棒６０を１本ずつ配置し、その各短手棒６０を長手棒５９に対し、いずれも交差角度を７５度程の鋭角に保って傾斜させ、中央を固着する。しかし、３本の各長手棒５９に固着する各短手棒６０の傾斜方向を、上、下の両部は等しくし、中央部は反対にして、土と資材との攪拌を植物の根圏地層の上、中、下全層に亘って良好に行えるようにする。なお、取付用台部材５７の周縁付近に３箇所、ボルトとナットを用いて結合する連結用の止め穴６１を分散配設する。
【００３０】
このようにして製作した栽培用資材局所施用攪拌機１を使用する際には、先ず計量資材貯蔵ボックス２７の施用下開口３０の付近が、粒状肥料等の栽培用資材を施用し、攪拌する地面の湿り気の影響を受けないようにする。そこで、計量資材貯蔵ボックス２７に設置するシャッターカバー兼用支持枠５３を適宜上下動するため、長穴５４内で結合位置を選択する。すると、計量資材貯蔵ボックス２７の施用下開口３０と攪拌器５２との間隔を調節して固定し易く、施用下開口３０の高さを土の湿り気の影響を受けない高さに保てるので、施用下開口３０の付近に資材が付着することなく、資材の円滑な吐出を行える。なお、使用中にも様子を見ながら、施用下開口３０と攪拌器５２との間隔の調節を適宜行える。
【００３１】
又、栽培用資材局所施用攪拌機１に対する資材供給源として、図１７に示すような背負い式の資材貯蔵容器６２を備えた栽培用資材供給機６３を用いる。そして、資材貯蔵容器６２の下端部から突出する供給管６４の先端を、栽培用資材局所施用攪拌機１に備えた資材計量ホッパー６の上壁中央に設けられている資材受入口部６５に連結する。すると、栽培用資材供給機６３を背負って攪拌機１を操作することにより、畝に沿って移動しながら一定間隔毎に設ける各植え付け位置等において、栽培用資材の一定量の局所施用とその局所の土と資材との攪拌を順次繰り返して行える。なお、栽培用資材供給機６３には資材供給管６４の途中に資材供給、停止用のバルブ６６を備えておく。
【００３２】
使用時、栽培用資材供給機６３の貯蔵容器６２に粒状肥料等の栽培用資材を充填した後、その供給機６３を背負い、資材供給管６４のバルブ６６を開く。すると、資材が供給管６４を通じて計量ホッパー６の貯蔵空間７に落下するようになる。そこで、使用場所の近く等で、栽培用資材局所施用攪拌機１を地面上に立て、ハンドル２を押し下げ、上下動スライダー３を下動させる。すると、その動きをリンク機構４７を介して資材計量ドラム８に伝えると共に、シャッター操作部材４４に伝えることができる。このため、資材計量ドラム８の資材取り入れ・放出兼用開口１６を上向きにし、資材計量ホッパー６の資材貯蔵空間７から栽培用資材を計量カップ１５の内部に落下させて資材の計量を行える。しかし、施用下開口３０を閉じるシャッター３１を開けても、最初は計量資材貯蔵ボックス２７の内部にまだ計量された資材が貯蔵されていない。なお、６７（６７ａ、６７ｂ）は資材計量時に計量カップ１５の口部から資材が外部に漏れるのと詰まるのを防止するためのブラシである。
【００３３】
そこで、ハンドル２を引き上げて上下動スライダー３を上動させる。すると、その動きをやはりリンク機構４７を介して資材計量ドラム８に伝えると共に、シャッター操作部材４４に伝えることができる。このため、今度は資材計量ホッパー６の上部に設けた資材貯蔵空間７の下部吐出口を計量ドラム８の胴壁１３で閉じ、操作部材４４をシャッター３１から離して施用下開口３０を閉じ、資材取り入れ・放出兼用開口１６を下向きにして、計量した資材を貯蔵ボックス２７の内部に貯蔵できる。
【００３４】
このようにして、計量資材貯蔵ボックス２７の内部に最初の計量資材を貯蔵した後、例えば畝の一番端に定めた植え付け位置等に対し、ハンドル２を握ってスライダー３を上下動する。すると、ハンドル２の下動操作により、栽培用資材をドラム８で計量すると同時に、先に計量した資材を貯蔵ボックス２７から吐出して施用し、更にシャッターカバー兼用支持枠５３の中央穴付き連結用台部材５６に固着した取付用台部材５７から突出する攪拌器５２を地中に挿入する、という一連の動作をスピーディに行える。しかも、施用下開口３０から吐出される資材が通過する攪拌器５２の中央穴５８を有する取付用台部材５７の下面に、その中央穴５８を取り囲むようにして、台部材５７の周縁付近に３本の地中挿入用長手棒５９を分散配置し、その各一端部を固着して垂直下方向に夫々突出しておくと、その全長手棒５９を地中に挿入し易い。
【００３５】
そして、各長手棒５９の上、中、下の各部に、土と資材を攪拌する攪拌用短手棒６０を１本ずつ配置し、長手棒５９に対しいずれも傾斜させ、その中央を固着しておくと、各攪拌用短手棒６０があまり地中への長手棒挿入の障害にならず、ハンドル２を下動させながら或いは下動後に、左右９０度程回動操作することによって、施用した栽培用資材を土と攪拌して植物の根圏地層の上、中、下全層に良好に混入できる。又、ハンドル２の上動操作により、ドラム８から先に計量した栽培用資材を放出し、その計量資材をボックス２７に貯蔵し、攪拌器５２を地中から引き抜く、という一連の動作を連続的にスピーディに行える。なお、ハンドル２を回動させると、各地中挿入用長手棒５９も当然に土と栽培用資材との攪拌を行えるので、攪拌用短手棒を用いず、取付用台部材５７の下面から複数本の地中挿入用長手棒５９のみを突設することによっても、攪拌器を構成することができる。
【００３６】
このようにして、畝に沿う各植え付け位置又は播種位置毎にハンドルを押し下げた後に、ハンドル２を引き上げると、ハンドル２の簡単な上下動操作等により植え付け位置等の必要な局所に、粒状又は粉状肥料等の栽培用資材を植物が生育するのに必要な量だけ施用し、その局所の土と栽培用資材を攪拌して、植物の根圏地層に栽培用資材をスピーディに混入できる。それ故、栽培上の労力負担が小さく、局所施用による栽培法に適している。
【００３７】
上記実施の形態では、攪拌器５２として、栽培用資材が通過する中央穴５８を有する取付用台部材５７の下面に、３本の地中挿入用長手棒５９を夫々突設し、その各長手棒５９の上、中、下の各部に、土と資材を攪拌する攪拌用短手棒６０を１本ずつ配置し、その各短手棒６０を長手棒５９に対しいずれも傾斜させ、その中央を固着する場合について説明したが、図１８、１９、２０に示すように攪拌器６８として、栽培用資材が通過する中央穴６９を有する取付用台部材７０の下面に、その中央穴６８の相対する両側部の各幅方向の中央位置に、２本の地中挿入用長手棒７１（７１ａ、７１ｂ）を１本ずつ配置し、その各一端部を固着して垂直下方向に夫々突設し、その各長手棒７１の上部側と下部側の各中央に土と栽培用資材を攪拌する攪拌用短手棒７２を１本ずつ配置し、その各短手棒７２を長手棒７１に対しいずれも傾斜させて、その中央を固着したものを用いることもできる。その際には、２本の各長手棒７１に固着する各短手棒７２の傾斜方向を上部側と下部側とで反対にし、土と栽培用資材との攪拌を植物の根圏地層の上部側と下部側の全層に亘って良好に行えるようにする。なお、７３は止め穴である。
【００３８】
又、攪拌器として、栽培用資材が通過する穴を複数個例えば３個、中央部を取り囲むように設けた取付用台部材の下面中央部に、１本の太目の地中挿入用長手棒の一端部を固着して垂直下方向に突設し、その長手棒の少なくとも上部側、下部側の各外周面に、土と資材を攪拌する攪拌用短手棒を外周面に沿って複数本例えば３本ずつ配置して、各短手棒を長手棒に対しいずれも傾斜させて、その中央を固着し、各短手棒の傾斜方向を上部側と下部側とで反対にしたものを用いることもできる。
【図面の簡単な説明】
【００３９】
【図１】本発明を適用した栽培用資材局所施用攪拌機の正面図である。
【図２】同攪拌機の左側面図である。
【図３】同攪拌機に備える資材計量ホッパーの縦断面図である。
【図４】同資材計量ホッパーに備える資材計量ドラムの左側面図である。
【図５】同資材計量ドラムの平面図である。
【図６】同資材計量ホッパーの前後壁に設置する蝶番の正面図である。
【図７】同蝶番の右側面図である。
【００４０】
【図８】同攪拌機に備える計量資材貯蔵ボックスの施用下開口開放状態を示す左側面図である。
【図９】同計量資材貯蔵ボックスの施用下開口閉鎖状態を示す左側面図である。
【図１０】同計量資材貯蔵ボックスの正面図である。
【図１１】同計量資材貯蔵ボックスとスライダーガイド筒の平面図である。
【図１２】同攪拌機に備える上下動スライダーの左側面図である。
【図１３】同上下動スライダーの底面図である。
【００４１】
【図１４】同攪拌機に備える攪拌器の底面図である。
【図１５】同攪拌器の正面図である。
【図１６】同攪拌器の左側面図である。
【図１７】同攪拌機の使用状態を示す図である。
【００４２】
【図１８】同攪拌機に備える攪拌器の他の実施形態を示す底面図である。
【図１９】同攪拌器の正面図である。
【図２０】同攪拌器の左側面図である。
【符号の説明】
【００４３】
１…栽培用資材局所施用攪拌機  ２…ハンドル  ３…上下動スライダー  ４ａ…連結部材  ４ｂ…高さ調節部材  ６…資材計量ホッパー  ７…資材貯蔵空間  ８…資材計量ドラム  ９…ドラム設置空間  １０…計量資材吐出空間  １３…胴壁  １５…資材計量カップ  １６…資材取り入れ・放出兼用開口  １７…軸  １８…ねじ止め部材  １９…仕切壁  ２０…底上げ用支持管  ２１…雄ねじ  ２３、２５…軸受穴  ２４…ばね付き蝶番  ２６…下部短リンク  ２７…計量資材貯蔵ボックス  ２９…上開口  ３０…施用下開口  ３１…シャッター  ３５…ボルト  ３６…計量資材貯蔵空間  ３７ａ…スライダー下部収容空間  ３７ｂ…スライダー上部収容空間  ３９…スライダーガイド筒  ４１、５４…長穴  ４４…シャッター操作部材  ４６…操作突部  ４７…リンク機構  ４８…上部短リンク  ５０…回動軸  ５１…長リンク  ５２、６８…攪拌器  ５３…シャッターカバー兼用支持枠  ５６…連結用台部材  ５７、７０…取付用台部材  ５８、６９…中央穴  ５９、７１…地中挿入用長手棒  ６０、７２…攪拌用短手棒  ６２…資材貯蔵容器  ６３…背負い式栽培用資材供給機  ６４…供給管  ７４…折曲箇所  ７５…固着部  ７６…非固着部
【図１】
2009171909.tif 000003
【図２】
2009171909.tif 000004
【図３】
2009171909.tif 000005
【図４】
2009171909.tif 000006
【図５】
2009171909.tif 000007
【図６】
2009171909.tif 000008
【図７】
2009171909.tif 000009
【図８】
2009171909.tif 000010
【図９】
2009171909.tif 000011
【図１０】
2009171909.tif 000012
【図１１】
2009171909.tif 000013
【図１２】
2009171909.tif 000014
【図１３】
2009171909.tif 000015
【図１４】
2009171909.tif 000016
【図１５】
2009171909.tif 000017
【図１６】
2009171909.tif 000018
【図１７】
2009171909.tif 000019
【図１８】
2009171909.tif 000020
【図１９】
2009171909.tif 000021
【図２０】
2009171909.tif 000022